(57)【要約】      （修正有）【課題】密閉性の高いドアーが構成できる自動ドアー昇降蝶板を提供する。【解決手段】下羽根部３の一側端に円筒形の下部材４を接続し、下部材の内部に心棒６を固着し、心棒は、上下可動スライドユニット１０の内部を摺動可能に貫通すると共に、上羽根部１の一側端に接続した円筒形の上部材２の内部を摺動可能に挿通し、上下可動スライドユニットは、中空の螺旋スライドピース１１，１２とその外周を被う円筒形の中部材１３から成り、螺旋スライドピースは、側面視で、螺旋スライドピースの縦中央を縦中心線に対し直角に、螺旋スライドピースの外周に沿って約３０°の傾斜でスパイラルに形成して２分割し、上部材の下端と上螺旋スライドピース１１の上端および下部材の上端と下螺旋スライドピース１２の下端とが嵌合するように凹凸に形成した。【選択図】図１
0003193384.tif 000002
【実用新案登録請求の範囲】
【請求項１】
下羽根部の一側端に円筒形の下部材を接続し、前記円筒形の下部材の下端に底部材を固着し、前記円筒形の下部材の内部に心棒を固着し、前記心棒は、上下可動スライドユニットの内部を摺動可能に貫通し、上羽根部の一側端に接続した円筒形の上部材の内部を摺動可能に挿通し、前記心棒の先端は、前記円筒形の上部材の上端に固着した蓋部材に当接し、前記上下可動スライドユニットは、中空の螺旋スライドピースとその外周を被う円筒形の中部材から成り、前記円筒形の中部材の内側を摺動する前記中空の螺旋スライドピースは、側面視で、前記中空の螺旋スライドピースの縦中央を縦中心線に対し直角に、前記中空の螺旋スライドピースの外周に沿って約３０°の傾斜でスパイラルに形成して２分割し、分割した下螺旋スライドピースの切断面の上に分割した上螺旋スライドピースの切断面を嵌合させ、前記上螺旋スライドピースの切断面の頂点および底点は、水平に形成し、前記下螺旋スライドピースの切断面の頂点および底点も、水平に形成し、前記円筒形の上部材の下端と前記上螺旋スライドピースの上端とが嵌合するように凹凸に形成し、また前記円筒形の下部材の上端と前記下螺旋スライドピースの下端とが嵌合するように凹凸に形成した自動ドアー自閉蝶番。
【請求項２】
ドアーの下端の内部に溝部を設け、ドアーの両側端にカバー部を固定し、角パイプの下部に弾性体を取り付け、前記角パイプの両側端の上部にＬ字型の取付金具の横片を固定し、前記溝部に前記角パイプをはめ込み、前記カバー部の孔を貫通したビスでＬ字型の取付金具の縦片をドアーの側面下部に固定し、弾性体は、フロアー面に合わせて高さ調節可能にした弾性体調整具を備えた請求項１記載の自動ドアー昇降蝶番。
【考案の詳細な説明】
【技術分野】
【０００１】  本考案は、ドアーの開閉時およびドアーを閉めた状態時に、外部からの粉塵等が含む外気が室内に入り込まないようにしたドアーに取付ける蝶番に関するものである。
【背景技術】
【０００２】  従来の蝶番は、左右両羽根部の間で、前記左羽根部の一側端に接続する円筒形の上部材と前記右羽根部の一側端に接続する円筒形の下部材とを複数個噛み合わせ、前記円筒形の上部材と前記円筒形の下部材の内部に心棒を摺動可能に貫通し、前記心棒の上下端に頭部を設けた金具であり、さらに、前記円筒形の上部材と前記円筒形の下部材の間に樹脂材を挿入したものもある。【０００３】  従来から密閉性を要求されるクリーンルームでは、ドアーの開閉時およびドアーを閉めた状態時に、外部からの粉塵等含む外気が室内に入り込まないようにしている。また、クリーンルームの機能上の構造（ドアーを開いた時、ドアーの下は、障害物のないフロアー面を要求される。）から、ドアーの下端とフロアー面との間に枠を設けることができないので、枠なしでドアーをフロアー面に接するように取付ける必要がある。【０００４】  ところが、従来の蝶番をドアーに取付ける場合、ドアーがフロアー面を擦らないようにドアーの下端とフロアー面との間に少し隙間を設けることになる。また、フロアー面が水平でなかったりすると、ドアーの下端とフロアー面との間に相当の隙間ができる。【０００５】  そこで、従来は、従来の蝶番を使いながら、ドアーの下端に内臓式の上下作動密閉装置を組み込み、ドアーの開閉に合わせて、上下作動密閉装置に仕組まれた縦枠に接触した作動ピンが装置に作用して、上下作動密閉装置に仕組まれた上下摺動タイト材が可動し、ドアーの下端とフロアー面との隙間を開けたり，閉じたりできるようにしている。ドアーを開く時は、上下摺動タイト材を上にあげて、隙間を設けてドアーを開く。ドアーを閉じる時は、上下摺動タイト材を下に下げて、ドアーとフロアー面との隙間を閉じる。ただ、この装置は、構造が複雑で、コストもかかり、フロアー面の状態によっては完全な密閉性が望めなかった。
【先行技術文献】
【特許文献】
【０００６】
【特許文献】特開２００８−２８０７７０号公報
【特許文献】特許３５４５０３６号公報
【考案の概要】
【考案が解決しようとする課題】
【０００７】  従来の蝶番をクリーンルームの柱とドアーに取付けると、フロアー面が水平でないとドアーの下端とフロアー面に隙間ができ、また、ドアーの下端の内部に上下作動密閉装置を組み込んだドアーは、構造が複雑で、コストもかかる課題があった。そこで、クリーンルームに取付けられる簡単な構造で、安価であって、且つ、密閉性の高いドアーが求められていた。そのような要望に答えるよう、普通のドアーに取付ける蝶番を考案し、本蝶番を取付けることにより普通のドアーが密閉性の高いドアーになるようにした。
【課題を解決するための手段】
【０００８】  本考案は、上記目的を達成するために、第１の課題解決手段は、ドアーの開閉に合わせてドアー自体を上下に動かし、ドアーを閉じる時にはドアーが下がって、ドアーの下端とフロアー面との隙間をなくし、クリーンルームの密閉を確保し、ドアーを開く時はドアーが上がって、ドアーの下端とフロアー面に隙間をつくり、ドアーの下端がフロアー面を擦ることなく、ドアーをスムースに開けることができるように、上羽根部の一側端に接続した円筒形の上部材と下羽根部の一側端に接続した円筒形の下部材との間に上下可動スライドユニットを組み込んだものである。
すなわち、下羽根部の一側端に円筒形の下部材を接続し、前記円筒形の下部材の下端に底部材を固着し、前記円筒形の下部材の内部に心棒を固着し、前記心棒は、上下可動スライドユニットの内部を摺動可能に貫通し、上羽根部の一側端に接続した円筒形の上部材の内部を摺動可能に挿通し、前記心棒の先端は、前記円筒形の上部材の上端に固着した蓋部材に当接し、前記上下可動スライドユニットは、中空の螺旋スライドピースとその外周を被う円筒形の中部材から成り、前記円筒形の中部材の内側を摺動する前記中空の螺旋スライドピースは、側面視で、前記中空の螺旋スライドピースの縦中央を縦中心線に対し直角に、前記中空の螺旋スライドピースの外周に沿って約３０°の傾斜でスパイラルに形成して２分割し、分割した下螺旋スライドピースの切断面の上に分割した上螺旋スライドピースの切断面を嵌合させ、前記上螺旋スライドピースの切断面の頂点および底点は、水平に形成し、前記下螺旋スライドピースの切断面の頂点および底点も、水平に形成し、前記円筒形の上部材の下端と前記上螺旋スライドピースの上端とが嵌合するように凹凸に形成し、また前記円筒形の下部材の上端と前記下螺旋スライドピースの下端とが嵌合するように凹凸に形成したものである。【０００９】  前記上羽根部と前記下羽根部との角度が０°の時は、前記上螺旋スライドピースと前記下螺旋スライドピースの切断面はピッタリと嵌合し、前記上羽根部が展開して、前記上羽根部と前記下羽根部との角度が９０°の時は、前記上螺旋スライドピースの切断面は、前記下螺旋スライドピースの切断面の中間点まで昇り、前記上螺旋スライドピースが上昇し、前記上羽根部が、さらに、展開して、前記上羽根部と前記下羽根部との角度が１８０°の時は、前記上螺旋スライドピースの切断面は、前記下螺旋スライドピースの切断面の頂点に達し、前記上螺旋スライドピースが上昇して止まる。そして、本考案は、本自動ドアー昇降蝶番を柱とドアーに取付けてドアーを開けた後（ドアーを開けた角度が１８０°未満の時）、ドアーから手を離すと、ドアーの自重で前記上螺旋スライドピースの切断面が、前記下螺旋スライドピースの切断面を滑って、ドアーが自動的に閉まる自動ドアー昇降蝶番である。
なお、前記上羽根部の一側端に円筒形の上部材を接続し、また、前記下羽根部の一側端に円筒形の下部材を接続する代わりに、前記上羽根部と前記円筒形の上部材とを一体成形し、前記下羽根部と前記円筒形の下部材とを一体成形することもできる。また、前記中空の螺旋スライドピースの縦中央を縦中心線に対し直角に、前記中空の螺旋スライドピースの外周に沿って約３０°の傾斜でスパイラルに形成して２分割するわけであるが、ここで云う約３０°の意味は、約±５°の巾を含むものとする。【００１０】  さらに、第２の課題解決手段は、本自動ドアー昇降蝶番を使用した上で、ドアーの下端の内部に溝部を設け、ドアーの両側端にカバー部を固定し、角パイプの下部に弾性体を取り付け、前記角パイプの両側端の上部にＬ字型の取付金具の横片を固定し、前記溝部に前記角パイプをはめ込み、前記カバー部の孔を貫通したビスでＬ字型の取付金具の縦片をドアーの側面下部に固定し、弾性体をフロアー面に合わせて高さ調節可能にした弾性体調整具である。【００１１】  上記第１の課題解決手段による使用方法は、クリーンルームの柱とドアーに本考案の自動ドアー昇降蝶番を取り付け、ドアーの開閉に合わせてドアー自体を上下に動かすことができるもので、ドアーを閉じるとドアーが下がって、ドアーの下端とフロアー面との隙間がなく、クリーンルームのドアーが閉まる。そして、ドアーを開けるとドアーが上がって、ドアーの下端とフロアー面に隙間を作り、ドアーがフロアー面を擦ることなく、ドアーをスムースに開けることができる。その時、ドアーが上がるのは、ドアーを開けると、上螺旋スライドピースの切断面が、下螺旋スライドピースの切断面を昇るように上がっていくからである。ドアーを閉めたいときは、開けているドアー（開けているドアーの角度が１８０°未満の時）から手を離すと、ドアーの自重で上螺旋スライドピースが下螺旋スライドピースの切断面を滑るように下がってきて、自動的にドアーが閉まる。【００１２】  本考案の組み立て方法は、上羽根部の一側端に接続した円筒形の上部材と下羽根部の一側端に接続した円筒形の下部材との間に上下可動スライドユニットを組み込んだもので、すなわち、前記下羽根部の一側端に円筒形の下部材を接続し、前記円筒形の下部材の下端に底部材を固着し、前記円筒形の下部材の内部に心棒を固着する。前記心棒は、前記上下可動スライドユニットの内部を摺動可能に貫通し、前記上羽根部の一側端に接続した円筒形の上部材の内部を摺動可能に挿通し、前記心棒の先端は、前記円筒形の上部材の上端に固着した蓋部材に当接する。前記上下可動スライドユニットは、中空の螺旋スライドピースとその外周を被う円筒形の中部材から成り、前記円筒形の中部材の内側を摺動する前記螺旋スライドピースは、その側面視で、前記螺旋スライドピースの縦中央を縦中心線に対し直角に、前記中空の螺旋スライドピースの外周に沿って約３０°の傾斜でスパイラルに形成して２分割し、前記下螺旋スライドピースの切断面の上に前記上螺旋スライドピースの切断面を嵌合させる。
前記上螺旋スライドピースの切断面の頂点および底点は、水平に形成し、前記下螺旋スライドピースの切断面の頂点および底点も、水平に形成している。前記円筒形の上部材の下端と前記上螺旋スライドピースの上端とは、凹凸に形成されていて嵌合し、また前記円筒形の下部材の上端と前記下螺旋スライドピースの下端とも凹凸に形成されていて嵌合する。【００１３】  前記上羽根部と前記下羽根部との角度が０°の時、すなわち、ドアーが閉まっている時は、前記上螺旋スライドピースの切断面と前記下螺旋スライドピースの切断面はピッタリと嵌合している。そして、前記上羽根部と前記下羽根部との角度が９０°の時、すなわち、ドアーを９０°に開けると、前記上螺旋スライドピースの切断面は、前記下螺旋スライドピースの切断面の中間点まで昇り、前記上螺旋スライドピースが上昇する。さらに、前記上羽根部と前記下羽根部との角度が１８０°の時、すなわち、ドアーを１８０°まで開けると、前記上螺旋スライドピースの切断面は、前記下螺旋スライドピースの切断面の頂点に達し、前記上螺旋スライドピースが上昇して止まる。【００１４】  本考案の第２課題解決手段の使用方法について説明すると、本自動ドアー昇降蝶番を使用した上で、ドアーの下端の内部に溝部を設け、ドアーの両側端にカバー部を固定し、角パイプの下部に弾性体を取り付け、前記角パイプの両側端の上部にＬ字型の取付金具の横片を固定し、前記溝部に、前記角パイプをはめ込み、前記Ｌ字型の取付金具の縦片をドアーの側面下部に固定する。弾性体は、カバー部の孔を貫通したビスでフロアー面に合った高さ調節をする。ドアーの下端の左右の高さ調整も可能である。
【考案の効果】
【００１５】  本考案の特有の効果は、本考案の自動ドアー昇降蝶番を使用することによって、ドアーの上下作動装置としては、構造が、大変、簡単であり、また、従来のドアーに取付けることができ、外観上も違和感がない。そして、本自動ドアー昇降蝶番のメンテナンスは、螺旋スライドピースを取り外し交換ができるので、大変、簡単であり、従って、長期間使用することができる。さらに、本考案を使うと、開けているドアー（開けているドアーの角度が１８０°未満の時）を持っている手を離すと、ドアーの自重でドアーが自動的に閉まるので、クリーンルームの密閉性が素早く、かつスムーズに保つことができる。さらに、また、ドアーの下端に弾性体調整具を備えることによって、弾性体調整具をフロアー面に合わせるだけで、さらに、クリーンルームの密閉性が保持できる。そして、ドアーにドアーチェックを付設すると、さらに、密閉性をより高めることができる。
【図面の簡単な説明】
【００１６】
【図１】本考案の一実施形態を示す自動ドアー昇降蝶番の正面図
【図２】同自動ドアー昇降蝶番の中部材を除いて、上下に分離した状態の自動ドアー昇降蝶番の正面図
【図３】同自動ドアー昇降蝶番を閉じた状態の平面図
【図４】同自動ドアー昇降蝶番を９０°開いた状態の正面図
【図５】同自動ドアー昇降蝶番を９０°開いた状態の平面図
【図６】同自動ドアー昇降蝶番を１８０°開いた状態の正面図
【図７】同自動ドアー昇降蝶番を１８０°開いた状態の平面図
【図８】同自動ドアー昇降蝶番の上螺旋スライドピースの左側面図
【図９】同自動ドアー昇降蝶番の上螺旋スライドピースの正面図
【図１０】同自動ドアー昇降蝶番の上螺旋スライドピースの右側面図
【図１１】同自動ドアー昇降蝶番の下螺旋スライドピースの左側面図
【図１２】同自動ドアー昇降蝶番の下螺旋スライドピースの正面図
【図１３】同自動ドアー昇降蝶番の下螺旋スライドピースの右側面図
【図１４】同自動ドアー昇降蝶番の上螺旋スライドピースの展開図
【図１５】同自動ドアー昇降蝶番の下螺旋スライドピースの展開図
【図１６】同自動ドアー昇降蝶番の上螺旋スライドピースの平面図
【図１７】同自動ドアー昇降蝶番の下螺旋スライドピースのＡ―Ａ線断面図
【図１８】同自動ドアー昇降蝶番の下螺旋スライドピースのＢ―Ｂ線断面図
【図１９】同自動ドアー昇降蝶番の下螺旋スライドピースのＣ―Ｃ線断面図
【図２０】同自動ドアー昇降蝶番の下螺旋スライドピースの平面図
【図２１】同自動ドアー昇降蝶番の下螺旋スライドピースのＤ―Ｄ線断面図
【図２２】同自動ドアー昇降蝶番の下螺旋スライドピースのＥ―Ｅ線断面図
【図２３】同自動ドアー昇降蝶番の下螺旋スライドピースのＦ―Ｆ線断面図
【図２４】ドアーの下端部に弾性体調整具を取付けたドアーの一部切欠き側面図
【図２５】ドアーの下端部に弾性体調整具を取付けたドアーの一部切欠き正面図
【図２６】弾性体調整具の取付金具の正面図
【図２７】弾性体調整具の取付金具の側面図
【図２８】弾性体調整具の角パイプの一部斜視図
【図２９】弾性体調整具のフラットバーの一部斜視図
【図３０】弾性体調整具の弾性体の一部斜視図
【考案を実施するための形態】
【００１７】  本考案の実施の形態は、図１〜図２および図９と図１２で示すように、上羽根部１の一側端に接続した円筒形の上部材２と下羽根部３の一側端に接続した円筒形の下部材４との間に上下可動スライドユニット１０を組み込んだものである。下羽根部３の一側端に円筒形の下部材４を接続し、円筒形の下部材３の下端に底部材５を固着し、円筒形の下部材４の内部に心棒６を固着する。心棒６は、上下可動スライドユニット１０の内部を摺動可能に貫通し、上羽根部１の一側端に接続した円筒形の上部材２の内部を摺動可能に挿通し、心棒６の先端は、円筒形の上部材２の上端に固着した蓋部材７に当接している。
【００１８】  上下可動スライドユニット１０は、中空の螺旋スライドピース１５とその外周を被う円筒形の中部材１３から成り、円筒形の中部材１３の内側を摺動する中空の螺旋スライドピース１５は、その側面視で、螺旋スライスピース１５の縦中央を縦中心線に対し直角に、中空の螺旋スライドピース１５の外周に沿って約３０°の傾斜でスパイラルに形成して２分割する。分割した下螺旋スライドピース１２の切断面１２ａの上に、分割した上螺旋スライドピース１１の切断面１１ａを嵌合させ、上螺旋スライドピース１１の切断面１１ａの頂点および底点は、水平に形成し、下螺旋スライドピース１２の切断面１２ａの頂点および底点も、水平に形成する。円筒形の上部材２の下端と上螺旋スライドピース１１の上端とが嵌合するように凹凸に形成し、また円筒形の下部材４の上端と下螺旋スライドピース１２の下端とが嵌合するように凹凸に形成している。
図２は、中部材１３を除外し、上螺旋スライドピース１１と下螺旋スライドピース１２とを離した状態図である。
【００１９】  つぎに、図１と図３および図９と図１２で示すように、上羽根部１と下羽根部３との角度が０°の時、すなわち、ドアーが閉じている時、上螺旋スライドピース１１の切断面１１ａと下螺旋スライドピース１２の切断面１２ａ  は、ピッタリと嵌合している。
図４〜図５および図９と図１２で示すように、上羽根部１と下羽根部３とが９０°に開いた時、すなわち、ドアーが９０°開いている時、上螺旋スライドピース１１の切断面１１ａは、下螺旋スライドピース１２の切断面１２ａの中間点まで昇り、上螺旋スライドピース１１が上昇する。
【００２０】  さらに、図６〜図７および図９と図１２で示すように、上羽根部１と下羽根部３とが１８０°に開いた時、すなわち、ドアーが１８０°開いた時、上螺旋スライドピース１１の切断面１１ａは、下螺旋スライドピース１２の切断面１２ａの頂点に達し、さらに、上螺旋スライドピース１１が上昇して止まる。
本自動ドアー昇降蝶番を柱とドアーに取付けてドアーを開けた後、開けたドアー（開けているドアーの角度が１８０°未満の時）から手を離すと、ドアーの自重で上螺旋スライドピース１１の切断面１１ａが、下螺旋スライドピース１２の切断面１２ａを滑って、ドアーが自動的に閉まる。
【００２１】  図８〜図１０と図１４および図１で示すように、上螺旋スライドピース１１の下端は、縦中心線に対し直角に、上螺旋スライドピース１１の外周に沿って約３０°の傾斜でスパイラルに形成した切断面１１ａであり、上螺旋スライドピース１１の上端は、上部材２の下端と嵌合するように凹凸に形成する。上螺旋スライドピース１１の切断面１１ａの頂点および底点は、水平に形成する。
図９で示すように、上螺旋スライドピース１１の切断面１１ａは、上螺旋スライドピース１１の縦中心線に対し直角に、外周に沿って約３０°の傾斜でスパイラルに形成しているが、平面的な正面図では、切断線がＳ字状に表れ、また、上螺旋スパイラル１１の外周に肉厚があるので、切断面が捻じれたように表れるが、図１４の展開図で示すように、上螺旋スライドピース１１の切断面１１ａは、上螺旋スライドピース１１の外周に沿って約３０°の傾斜で形成している。
【００２２】  図１１〜図１３と図１５および図１で示すように、下螺旋スライドピース１２の上端は、縦中心線に対し直角に、螺旋スライドピース１２の外周に沿って約３０°の傾斜でスパイラルに形成した切断面１２ａであり、下螺旋スライドピース１２の切断面１２ａは、上螺旋スライドピース１１の切断面１１ａとスライドするように嵌合する。下螺旋スライドピース１２の下端は、下部材４の上端と嵌合するように凹凸に形成する。下螺旋スライドピース１２の切断面１２ａの頂点および底点は、水平に形成する。
図１２で示すように、下螺旋スライドピース１２の切断面１２ａは、下螺旋スライドピース１２の縦中心線に対し直角に、外周に沿って約３０°の傾斜でスパイラルに形成しているが、平面的な正面図では、切断線がＳ字状に表れ、また、下螺旋スパイラル１２の外周に肉厚があるので、切断面が捻じれたように表れるが、図１５の展開図で示すように、下螺旋スライドピース１２の切断面１２ａは、下螺旋スライドピース１２の外周に沿って約３０°の傾斜で形成している。
図１６〜図１９は、上螺旋スライドピース１１のＡ−Ａ線、Ｂ−Ｂ線およびＣ−Ｃ線断面図である。
図２０〜図２３は、下螺旋スライドピース１２のＤ−Ｄ線、Ｅ−Ｅ線およびＦ−Ｆ線断面図である。
【００２３】  さらに、図２４〜図３０で示すように、弾性体調整具３０は、ドアー３１の下端の内部に溝部３２を設け、ドアー３１の下端の両側端にカバー部３３を固定し、角パイプ３４の下部とフラットバー３５との間に弾性体３６を取り付け、角パイプ３４の両側端の上部にＬ字型の取付金具３７の横片３８を固定し、溝部３２に角パイプ３４をはめ込み、カバー部３３の孔を貫通したビスでＬ字型の取付金具３７の縦片３９をドアー３１の側面下部に固定する。弾性体３６は、フロアー面に合わせて高さ調節可能で、ドアーの下端の左右の高さ調整も可能である。
【符号の説明】
【００２４】１・・・・上羽根部
２・・・・上部材
３・・・・下羽根部
４・・・・下部材
５・・・・底部材
６・・・・心棒
７・・・・蓋部材
１０・・・上下可動スライドユニット
１１・・・上螺旋スライドピース
１２・・・下螺旋スライドピース
１３・・・中部材
１５・・・螺旋スライドピース
３０・・・弾性体調整具
３１・・・ドアー
３２・・・溝部
３３・・・カバー部
３４・・・角パイプ
３５・・・フラットバー
３６・・・弾性体
３７・・・取付金具
【図１】
0003193384.tif 000003
【図２】
0003193384.tif 000004
【図３】
0003193384.tif 000005
【図４】
0003193384.tif 000006
【図５】
0003193384.tif 000007
【図６】
0003193384.tif 000008
【図７】
0003193384.tif 000009
【図８】
0003193384.tif 000010
【図９】
0003193384.tif 000011
【図１０】
0003193384.tif 000012
【図１１】
0003193384.tif 000013
【図１２】
0003193384.tif 000014
【図１３】
0003193384.tif 000015
【図１４】
0003193384.tif 000016
【図１５】
0003193384.tif 000017
【図１６】
0003193384.tif 000018
【図１７】
0003193384.tif 000019
【図１８】
0003193384.tif 000020
【図１９】
0003193384.tif 000021
【図２０】
0003193384.tif 000022
【図２１】
0003193384.tif 000023
【図２２】
0003193384.tif 000024
【図２３】
0003193384.tif 000025
【図２４】
0003193384.tif 000026
【図２５】
0003193384.tif 000027
【図２６】
0003193384.tif 000028
【図２７】
0003193384.tif 000029
【図２８】
0003193384.tif 000030
【図２９】
0003193384.tif 000031
【図３０】
0003193384.tif 000032